(57)【要約】【課題】印刷製品を縦置きの状態と横置きの状態の間で転換する装置において、印刷製品の、非常に良好に損傷を防ぐことができる取扱を保証し、かつ、高いサイクル出力でサイクルに合った転換を可能にする。【解決手段】起こし装置１は、長手方向軸線９を中心としてねじれるように曲がった第１の搬送機３を有し、印刷製品がこの搬送機３によって搬送されるうちに横置きの状態から縦置きの状態に転換される。第１の搬送機３は、印刷製品を、転換の間、前方へ送るキャリア４を備えている。起こし装置１は、印刷製品が、転換の間、その主面で少なくとも部分的に上に載る支持部材１１を備える第２の搬送機１０をさらに有している。【選択図】図１
2006290629.tif 000002
【特許請求の範囲】
【請求項１】
長手方向軸線（９）を中心としてねじれるように曲がった搬送機（３）を備え、折り畳まれた印刷枚葉紙および／または折り畳まれていない印刷枚葉紙からなる、本の中身、本、または印刷枚葉紙パイルのような連続して搬送される印刷製品（２ａ〜２ｇ）を、実質的に横置きの状態から縦置きの状態へ、またはその逆に転換する装置において、
前記印刷製品（２ｃ〜２ｆ）を、前記転換の間、前方へ送る複数のキャリア（４）を備える第１の搬送手段（３）と、
前記印刷製品（２ｃ〜２ｆ）が、前記転換の間、その主面で少なくとも部分的に上に載る、または支持される複数の支持部材（１１）を備える第２の搬送手段（１０または１２）と、
を有することを特徴とする装置。
【請求項２】
前記第２の搬送手段（１０）の前記支持部材（１１）は少なくとも１本の細い支持線を形成しており、前記支持部材（１１）は実質的に１本の作用線で、該当する前記キャリア（４）と共に前記印刷製品（２ｃ〜２ｆ）に作用する、
請求項１に記載の装置。
【請求項３】
前記第１の搬送手段（３）と前記第２の搬送手段（１０）は同期して駆動される、
請求項１または２に記載の装置。
【請求項４】
前記第１の搬送手段（３）の、互いに同じ相互間隔で配置されている前記キャリア（４）は、その都度の搬送面に対して常にほぼ直角に案内される、
請求項１から３のいずれか１項に記載の装置。
【請求項５】
互いに直角に配置され、前記長手方向軸線（９）を中心としてそれぞれねじれた２つの支持軌道（２３ａ，２３ｂ，２３ｃ，２４）を備える搬送台を有しており、前記第１の搬送手段（３）の前記キャリア（４）と前記第２の搬送手段（１０または１２）の前記支持部材（１１）は、前記印刷製品（２ｃ〜２ｆ）の主面用の前記支持軌道（２３ａ，２３ｂ，２３ｃ）から突き出ている、
請求項１から４のいずれか１項に記載の装置。
【請求項６】
前記支持軌道は滑り面（２３ａ，２３ｂ，２３ｃ，２４）として構成されている、
請求項５に記載の装置。
【請求項７】
前記第２の搬送手段（１０）と平行に延び、支持プレート（１０）を備える第３の搬送手段（１２）が設けられている、
請求項１から６のいずれか１項に記載の装置。
【請求項８】
前記第１の搬送手段（３）が前記支持部材（１１）を備えていることによって、前記第２または第３の搬送手段（１０または１２）、またはこれらに相当する他の搬送手段が前記第１の搬送手段（３）によって構成されている、
請求項１から７のいずれか１項に記載の装置。
【請求項９】
前記搬送手段（３，１０，１２）は側方枚葉紙チェーンによって構成されている、
請求項１から８のいずれか１項に記載の装置。
【請求項１０】
前記支持部材はチェーン側板そのものによって、または、チェーンリンクに取り付けられた支持プレート（１１）によって構成されている、
請求項９に記載の装置。
【請求項１１】
前記支持部材（１１）は支持面（１１ａ）を有している、
請求項１から１０のいずれか１項に記載の装置。
【請求項１２】
前記支持面（１１ａ）は平滑な表面を有している、
請求項１１に記載の装置。
【請求項１３】
前記支持面（１１ａ）は球面状に形成されている、
請求項１１または１２に記載の装置。
【請求項１４】
前記搬送手段（３，１０，１２）は、入口側の端部の所で、横置きの状態で供給される印刷製品（２ｂ，２ｃ）を引き取るために、該印刷製品（２ｃ）が前記支持部材（１１）によって持ち上げられる前に、最初に、前記キャリア（４）を前記印刷製品（２ｃ）と係合させることができるように案内されている、
請求項１から１３のいずれか１項に記載の装置。
【請求項１５】
前記印刷製品（２ｂ，２ｃ）を低い速度（ｖ2）で搬送するベルト搬送機（１９）が前記搬送手段（３，１０，１２）の前に配置されており、前記ベルト搬送機の搬送面を、下側から来る前記搬送手段（３，１０，１２）が通り抜ける、請求項１４に記載の装置。
【発明の詳細な説明】
【技術分野】
【０００１】
本発明は、長手方向軸線を中心としてねじれるように曲がった搬送機を備え、折り畳まれた、および／または折り畳まれていない複数の印刷枚葉紙からなる本の中身、本、または印刷枚葉紙パイルのような連続して搬送される複数の印刷製品を、実質的に横置きの状態から縦置きの状態へ、またはその逆に転換する装置に関する。
【背景技術】
【０００２】
上述したような種類の転換は、複数の本を製造するためのプロセスチェーンの様々な個所で行われる。例えば、丁合い機の丁合い搬送機上で、緩やかに丁合いされた折り丁から形成された印刷枚葉紙パイルが、無線綴じ機の搬入機構への引き渡しのために、実質的に横置きの状態から、背を下方に向けた縦置きの状態へと転換される。この起こし動作は、連続的な搬送時に、搬送通路と、搬送通路上の印刷枚葉紙パイルを前方へ送るキャリアを備える搬送機チェーンから構成された丁合い搬送機の、引渡側の端部の所で行われ、印刷枚葉紙パイルを起こすために、搬送通路は、その通路板によって、前に向かうにつれて長手軸線軸を中心としてねじれている。搬送通路は、起こし領域において、パターン付きローラによって圧延され、吹付け空気ノズルが組み込まれた通路板から構成されている。このような、起こし通路における摩擦を最低限に抑える方策にもかかわらず、特に複数の個別枚葉紙や非常に薄い種類の複数の紙を処理する際、通路板に載っている下側の印刷枚葉紙が、パイルの、下側の印刷枚葉紙上に載っている印刷枚葉紙に対してずれてしまうことがある。
【０００３】
特許文献１から、回転するように駆動される複数のローラを備える、互いに直角に配置された２つのローラ軌道を用い、各ローラ軌道が長手方向軸線を中心としてねじれるように曲がっている、本を鉛直に立った位置から水平に寝かされた位置へと転換する装置が公知である。入ってきた本が寝かされる前に開いてしまうのを防ぐ押さえロッドが、一方のローラ軌道の、鉛直に立っているローラと平行に、これと間隔をおいて、ローラ軌道の、供給側の端部から、ローラの、鉛直位置から水平位置への移行領域まで設けられている。さらに、それぞれ長手方向軸線に沿って９０°だけねじれ、互いに直角に配置され駆動される２つのプレートチェーン搬送機を備える寝かし装置が知られている。これら両方の公知の寝かし装置の個々の搬送ローラと支持プレートは、転換すべき製品に対して、搬送方向に対して横向きに向いた直線状の支持面を形成している。搬送ローラと支持プレートがねじれるように配置されているので、特に可とう性の低い印刷製品は部分的にしか搬送手段上に載らない。それによって引き起こされる滑りを伴う搬送条件のために、特に始動工程と停止工程の時に、位置が正確で、したがってサイクルに合った搬送が行われず、その結果、後続する機械において、本の、追加のサイクル合わせをする必要がある。しかも、これらの転換装置は製品を起こすのには限定的にしか適していない。そのうえ、特許文献１に記載の装置では、互いに上下に緩やかに積み重ねられた印刷枚葉紙の場合に、圧搾効果（Walkeffect）が観察され、それによって、下側の印刷枚葉紙がその上に載っている印刷枚葉紙に対して後方へずれてしまうことがある。
【０００４】
さらに、寝かせたり起こしたりするために、それぞれ２つのガイドローラに掛けられ、これらのガイドローラの間で互いに９０°に交差させられたベルトを備える、ねじれたクランプ式ベルト搬送機が知られている。特許文献２から、連続して搬送される印刷製品を１８０°反転させるための、裏返し装置としての、１８０°ねじれたクランプ式ベルト搬送機が公知である。これらの公知のクランプ式ベルト搬送機は、ねじれた搬送ベルトの、満足のいく案内のために、様々な種類の複数の案内手段が必要なので、構成が複雑である。しかも、パイル内の印刷枚葉紙、または綴じられたばかりの本の中身の個別部分のずれを引き起こす、複数の搬送ベルトの間の相対運動を避けることはできない。
【特許文献１】独国特許出願公開第２９４３２６０号明細書
【特許文献２】独国特許出願公開第３００６２６６号明細書
【発明の開示】
【発明が解決しようとする課題】
【０００５】
本発明の目的は、印刷製品の、非常に良好に損傷を防ぐことができる取扱が保証され、かつ、高いサイクル出力でサイクルに合った転換を可能にする、当該技術分野に属する、印刷製品を転換させる装置を提供することにある。
【課題を解決するための手段】
【０００６】
この目的は、本発明により請求項１の特徴部の構成によって達成される。有利な他の実施態様が従属請求項から得られる。
【０００７】
本発明の思想は、印刷製品を、転換中にキャリアによって前方へ送り、それと同時に、少なくとも部分的に他の搬送手段の上に載せることにある。この第２の搬送手段によって、キャリアの前方で、中心から外れた所で前方へ送られる印刷製品が回転してずれるのが阻止される。印刷製品の、下側にある部分製品または個別部分は、第２の搬送機によって安定して一緒に動かされる。搬送方向と逆向きに作用する摩擦力を最低限に抑えることができるので、相対的なずれが起こることがなくなる。
【０００８】
本発明によって、損傷しやすい個別部分または部分製品からなり、しかも、下面が、薄い個別枚葉紙からなっている場合がある印刷製品を、特に損傷しないように搬送することができる。そのためには、実質的に１本の作用線において、該当するキャリアと共に印刷製品に作用する、支持部材によって形成される細い支持線さえあれば十分であることが示されている。キャリアによって、サイクルに合わせた搬送が保障され、したがって、例えばあらためてサイクル合わせをすることなく、印刷製品を後続の処理機械へ渡すことができる。
【０００９】
本発明の装置は、紙の後続処理および印刷の後続処理において生じる多くの印刷製品に適しており、高い転換能力を可能にする。本発明の思想に基づいて、起こすための装置または寝かせるための装置を構成することができる。本発明の装置は、構成が簡素であるという特徴を有し、前または後に配置された機械に組み込むことが可能である。例えばキャリアを備える第１の搬送機は、丁合い機の、出口側の端部の所でねじれるように曲がっている丁合いチェーンとすることができる。
【発明を実施するための最良の形態】
【００１０】
次に、本発明の実施の形態について図面を参照して説明する。
【００１１】
図１と図２に示す起こし装置１は、搬入搬送機１５の搬送ベルト１６上で横置きの状態で、ほぼ一定の相互間隔で起こし装置１に供給される印刷製品、例えばばらばらの枚葉紙から構成された枚葉紙パイル２ａ〜２ｇを起こすために構成されている。枚葉紙パイル２ａ〜２ｇは、図２に枚葉紙パイル２ａによって示すように、並んで配置された複数の搬送ベルト１８ａ，１８ｂ，１８ｃから構成された同期ベルト搬送機１７によって、同期した搬送速度ｖ1で引き取られる。
【００１２】
個々の搬送ベルト１８ａ，１８ｂ，１８ｃは互いに異なる距離まで延びており、より遅い搬送速度ｖ2で枚葉紙パイル２ｂをさらに搬送する、後続の制動ベルト搬送機１９の搬送ベルト２０ａ，２０ｂ，２０ｃによって引き継がれている。
【００１３】
搬送ベルト１８ａ，１８ｂ，１８ｃおよび２０ａ，２０ｂ，２０ｃは、制動ベルト搬送機１９から枚葉紙パイル２ａ〜２ｇを引き取る搬送手段のための開口部を有する滑り板２１によって囲まれている。各枚葉紙パイル２ｂの後側に、搬送機の隙間から出てきて、速い搬送速度ｖ3に基づいて枚葉紙パイル２ｃに達し、後に続いて枚葉紙パイル２ｃを前に送る、互いに同じ相互間隔で配置された複数のキャリア４を備えた第１の搬送機３が設けられている。
【００１４】
搬送機３に加えて、枚葉紙パイル２ｃ〜２ｇの主面が部分的に載るエンドレスに続いた複数の支持プレート１１をキャリア４に隣接して形成している第２の搬送機１０が設けられている。複数の支持プレート１１を備える第３の搬送機１２が、搬送機１０と平行に配置されており、それによって、枚葉紙パイル２ｃ〜２ｇに対して他の支持線がさらに形成されている。
【００１５】
搬送機１０および１２の支持プレート１１は、下方から斜めに制動ベルト搬送機１９の搬送面を通り抜け、対応するキャリア４が枚葉紙パイル２ｂと既に接触している時に初めて、枚葉紙パイル２ｂを搬送ベルト２０ａ，２０ｂ，２０ｃおよび滑り板２１から持ち上げるように案内されている。
【００１６】
上述した搬送機３、１０、および１２は、制動ベルト搬送機１９の端部の所で、ねじれて延びる部分へと移行しており、これらの搬送機３，１０，１２は長手方向縁、すなわち長手方向軸線９に沿って９０°だけねじれている。枚葉紙パイル２ａ〜２ｇが横置きの状態から縦置きの状態へ転換される、ねじれた起こし区間２２が形成されている。
【００１７】
起こすべき枚葉紙パイル２ｄ〜２ｆをさらに支持するために、起こし区間２２は、搬送機３、１０、および１２と並んで配置されたねじれた支持軌道板２３ａ，２３ｂ，２３ｃから構成された滑り面としての支持軌道を有しており、支持軌道板２３ａ，２３ｂ，２３ｃは支持プレート１１よりも引っ込んでおり、その結果、枚葉紙パイル２ｄ〜２ｆは支持プレート１１によって支持されている。ねじれた他の支持軌道板２４が、枚葉紙パイル２ｄ〜２ｆの側縁が最初に当接する、第１の支持軌道に対して直角に延びる第２の支持軌道を形成している。枚葉紙パイル２ｅ，２ｆは、縦置きの状態へと起こされるにつれて、支持軌道板２４によって支持されるようになり、一方、搬送機１０，１２の支持プレート１１、および、場合によっては、支持軌道板２３ａ，２３ｂ，２３ｃによっては、もはやわずかに支持されるにすぎなくなり、搬送は、実質的に搬送機３のキャリア４によって行われる。
【００１８】
起こされた枚葉紙パイル２ｆが開いたり倒れたりするのを防ぎ、枚葉紙パイル２ｇを、後続する搬出搬送機２６の搬送通路へ案内する複数のガイドロッド２５が、起こし区間２２の出口側の端部に、支持軌道板２３ａ，２３ｂ，２３ｃから構成された支持軌道と平行に設けられている。この搬出搬送機２６は、例えば、枚葉紙パイル２ａ〜２ｇが後続処理されて無線綴じされた本の中身または仮とじ本にされる無線綴じ機の搬入機構の構成要素であってよい。搬出搬送機２６は、枚葉紙パイル２ａ〜２ｇをより速い速度ｖ4で搬送機３のキャリア４から引き取る、一定の相互間隔で配置された複数のキャリア２７を有している。
【００１９】
第１の搬送機３は、起こし装置１の搬送経路に相応して側方枚葉紙チェーンとしてガイドレール２８内を案内され、キャリア４が延長されたチェーンボルト７を介して側方に回転運動可能に支持された搬送チェーン５を有しており、各キャリア４は、それに付属する案内ロッド６によって制御される。この案内ロッド６は、一方では、ボルト８を介してキャリア４と回転運動可能に連結されており、他方では、搬送チェーン５の、延長されたチェーンボルト７に回転運動可能に連結されている。
【００２０】
案内ロッド６とレバーの長さは、キャリア４が、枚葉紙パイル２ｃ〜２ｆを搬送している間、搬送面に対して常に直角に案内されるように設定されている。特に、キャリア４は、方向転換軸線１４を中心とする方向転換領域において、少なくともキャリア４が鉛直方向の搬送面の裏に隠れるまで、この搬送面に対して直角な位置にとどまり、それによって、搬出搬送機２６のキャリア２７による連続した引取が可能になっている。
【００２１】
搬送チェーン５は、第２の搬送機１０を構成するために、折れ曲げられたチェーン側板として構成された、前述の支持プレート１１を備えている。それによって、いわば１つの作用線に沿って枚葉紙パイル２ａ〜２ｇに作用する第１の搬送機３と第２の搬送機１０は、必然的に同期して駆動される。第３の搬送機１２は、側方枚葉紙チェーンとして、ガイドレール２８内の搬送チェーン５と平行に配置され、起こし装置１の搬送経路に相応して案内され、長手方向軸線９を中心とするねじれのために搬送チェーン５よりも若干長い走行路を有する、別個の搬送チェーン１３によって構成されている。
【００２２】
両方の搬送機１０および１２の支持プレート１１は、球面状のキャップ状支持面１１ａをそれぞれ有しており、それによって、特に、ねじれた起こし区間２２において、枚葉紙パイル２ａ〜２ｇの下面に対して最適な当接面が与えられる。キャップ状支持面１１ａは平坦な表面をさらに備えており、それによって、傾いた搬送区域における枚葉紙パイル２ｃ〜２ｆは、重力に従って側方の支持軌道板２４に向かって動くことができ、一方、平らになった搬送機区間では、枚葉紙パイル２ｃ，２ｄ、および特にその下側の個別枚葉紙は、支持プレート１１によって、キャリア４に対してずれることなく一緒に搬送される。
【００２３】
起こし装置１は、特に、非常に薄い個別枚葉紙からなる枚葉紙パイルを起こすのにも適している。搬入搬送機１５と搬出搬送機２６、およびキャリア４のピボット結合部を相応に変更することによって、このような印刷製品を、損傷しないように寝かせることもできる。起こし装置１によって、損傷しやすい他の印刷製品、例えば、綴じられたばかりの本、仮とじ本、または本の中身、あるいは、非常に薄い紙からなる折り畳まれた印刷枚葉紙を含む積層パイル等も損傷しないように起こし、または寝かせることができる。
【００２４】
上記に代わる実施形態では、互いに直角に配置された両方の支持軌道を、自由に回転可能な複数のローラまたは円筒体から構成することができる。さらに、あまり損傷しやすくない製品については、特別に形成された支持プレート１１を省略し、その代わりに、印刷製品をチェーン側板の前面上に載せることも可能である。
【図面の簡単な説明】
【００２５】
【図１】本発明による起こし装置の斜視図である。
【図２】起こし装置の模式的な側面図である。
【図３】起こし装置の搬送手段の詳細な斜視図である。
【符号の説明】
【００２６】
１    起こし装置
２ａ，２ｂ，２ｃ，２ｄ，２ｅ，２ｆ，２ｇ    枚葉紙パイル
３，１０，１２    搬送機
４，２７    キャリア
５    搬送チェーン
６    案内ロッド
７    チェーンボルト
８    ボルト
９    長手方向軸線
１１    支持プレート
１１ａ    キャップ状支持面
１３    搬送チェーン
１４    方向転換軸線
１５    搬入搬送機
１６，１８ａ，１８ｂ，１８ｃ    搬送ベルト
１７    同期ベルト搬送機
１９    制動ベルト搬送機
２０ａ．２０ｂ，２０ｃ    搬送ベルト
２１    滑り板
２２    起こし区間
２３ａ，２３ｂ，２３ｃ，２４    支持軌道板
２５    ガイドロッド
２６    搬出搬送機
２８    ガイドレール
ｖ1    同期ベルト搬送機の搬送速度
ｖ2    制動ベルト搬送機の搬送速度
ｖ3    キャリアの搬送速度
ｖ4    搬出搬送機の搬送速度
【図１】
2006290629.tif 000003
【図２】
2006290629.tif 000004
【図３】
2006290629.tif 000005